(57)【要約】      （修正有）【課題】簡易な構造により適度な維持メンテナンスで健全性を維持できる基礎に配され建物を支持する複数の支持機構を提供する。【解決手段】従来の建物基礎に替わって、基礎に支持される下部基礎構造９ｂと、建物を支持する上部基礎構造９ｔと、前記上部基礎構造と前記下部基礎構造との間に配される複数の支持機構と、前記下部基礎構造と前記上部基礎構造との間に複数の前記支持機構を内包する収納空間Ｈを形成するカバー部材２と、前記収納空間の空気を換気する換気機器と、を備えるものとした。【選択図】図４
2019206862.tif 000002
【特許請求の範囲】
【請求項１】
基礎に配され建物を支持する複数の支持機構を有する建物基礎であって、
基礎に支持される下部基礎構造と、
建物を支持する上部基礎構造と、
前記上部基礎構造と前記下部基礎構造との間に配される複数の支持機構と、
前記下部基礎構造と前記上部基礎構造との間に複数の前記支持機構を内包する収納空間を形成するカバー部材と、
前記収納空間の空気を換気する換気機器と、
を備えることを特徴とする建物基礎。
【請求項２】
基礎に配され建物を支持する複数の支持機構を有する建物基礎であって、
水平面内で直交する一対の軸をＸ軸とＹ軸と呼称するとき、
基礎に支持される下部基礎構造と、
建物を支持する上部基礎構造と、
前記上部基礎構造に固定される上部フランジプレートと、前記下部基礎構造に固定される下部フランジプレートと、上部基礎構造に上部フランジプレートを介して固定され長手方向をＸ軸方向に延ばすリニアレールである上部リニアレールと、上部リニアレールに長手方向に移動自在に案内されるリニアブロックである上部リニアブロックと、下部基礎構造に下部フランジプレートを介して固定され長手方向をＹ軸方向に延ばすリニアレールである下部リニアレールと、下部リニアレールに長手方向に移動自在に案内されるリニアブロックである下部リニアブロックと、上部リニアブロックと下部リニアブロックとを結合する部材である結合部材と、を有する転がり滑り支承と、
前記下部基礎構造と前記上部基礎構造との間に前記転がり滑り支承を内包する収納空間を形成するカバー部材と、
前記収納空間の空気を換気する換気機器と、
を備えることを特徴とする建物基礎。
【請求項３】
前記カバー部材が前記下部基礎構造と前記上部基礎構造との間に複数の前記転がり滑り支承を各々に内包する複数の収納空間を形成し、
前記換気機器が複数の収納空間を連通する連通ダクトと該連通ダクトに通気して複数の前記収納空間の空気を換気する送風機とを有する、
ことを特徴とする請求項２に記載の建物基礎。
【請求項４】
前記送風機は、前記収納空間Ｈの内部の湿度が予め設定された上限湿度を越えると前記連通ダクトへの通気を開始し、収納空間Ｈの内部の湿度が予め設定された下限湿度を下回ると前記連通ダクトへの通気を停止する、
ことを特徴とする請求項３に記載の建物基礎。
【請求項５】
基礎に配され建物を支持する複数の支持機構を有する建物基礎であって、
水平面内で直交する一対の軸をＸ軸とＹ軸と呼称するとき、
基礎に支持される下部基礎構造と、
建物を支持する上部基礎構造と、
上部基礎構造に上部フランジプレートを介して固定され長手方向をＸ軸方向に延ばすリニアレールである上部リニアレールと、上部リニアレールに長手方向に移動自在に案内されるリニアブロックである上部リニアブロックと、下部基礎構造に下部フランジプレートを介して固定され長手方向をＹ軸方向に延ばすリニアレールである下部リニアレールと、下部リニアレールに長手方向に移動自在に案内されるリニアブロックである下部リニアブロックと上部リニアブロックと下部リニアブロックとを結合する部材である結合部材と、を有する転がり滑り支承と、
前記リニアレールの前記リニアブロックを案内する案内面を内包する収納空間を形成し前記リニブロックの移動に伴って長手方向に伸縮できるカバー部材と、
前記収納空間の空気を換気する換気機器と、
を備えることを特徴とする建物基礎。
【請求項６】
前記カバー部材が複数の前記リニアレールの前記リニアブロックを案内する案内面を各々に内包する複数の収納空間を形成し前記リニブロックの移動に伴って長手方向に伸縮でき、
前記換気機器が複数の収納空間を連通する連通ダクトと該連通ダクトに通気して複数の前記収納空間の空気を換気する送風機とを有する、
ことを特徴とする請求項５に記載の建物基礎。
【請求項７】
基礎に配され建物を支持する複数の支持機構を有する建物基礎であって、
水平面内で直交する一対の軸をＸ軸とＹ軸と呼称するとき、
基礎に支持される下部基礎構造と、
建物を支持する上部基礎構造と、
上部基礎構造に上部フランジプレートを介して固定され長手方向をＸ軸方向に延ばすリニアレールである上部リニアレールと、上部リニアレールに長手方向に移動自在に案内されるリニアブロックである上部リニアブロックと、下部基礎構造に下部フランジプレートを介して固定され長手方向をＹ軸方向に延ばすリニアレールである下部リニアレール１２ｂと、下部リニアレールに長手方向に移動自在に案内されるリニアブロックである下部リニアブロックと上部リニアブロックと下部リニアブロックとを結合する部材である弾性部材と、を有する転がり滑り支承と、
前記リニアレールの前記リニアブロックを案内する案内面に密着して被覆する部材である被覆部材と、
を備え、
前記リニアブロックが前記リニアレールに案内されて移動すると前記被覆部材が前記リニアブロックに押されて案内面から剥がれる、
ことを特徴とする建物基礎。
【請求項８】
前記被覆部材が長手方向に延びる切れ目を入れられる、
ことを特徴とする請求項７に記載の建物基礎。
【請求項９】
前記リニアブロックの進行方向に向く端面に固定されるスクレーパと、
を備え、
前記リニアブロックが前記リニアレールに案内されて移動すると前記被覆部材が前記スクレーパにより案内面から剥離され前記リニアブロックに押されて案内面から剥がれる、
ことを特徴とする請求項７または請求項８のうちのひとつに記載の建物基礎。
【発明の詳細な説明】
【技術分野】
【０００１】
本発明は、基礎に配され建物を支持する複数の支持機構を有する建物基礎に関する。
【背景技術】
【０００２】
建物基礎が地盤に設けられ、建物を支持する。
建物が複数の柱と複数の梁とスラブとで構成される。
例えば、建物基礎は、コンクリート層と複数の基礎杭と基礎構造とで構成される。
基礎杭がコンクリート層を貫通して地盤に打ち込まれる。
基礎構造は、複数の基礎部材と複数の梁部材とで構成される。
上から見て、複数の基礎部材が碁盤の目状に散らばる様に配置される。
梁部材が基礎部材を繋ぐ。
支持機構が基礎杭の杭頭に固定される。
地震が発生すると、基礎杭が建物に作用した加速度による水平力を支持機構を介して支持する。
【０００３】
支持機構として転がり滑り支承を用いることがある。
転がり滑り支承は、球体を案内面に転がして滑る支持機構である。
球体を転がすので、摩擦形数の小さな支持機構を実現できる。
【０００４】
建物基礎が設けられる環境は、必ずしも機械によって良好な環境ではないので、  転がり滑り支承の健全性を維持するために、頻繁な維持メンテナンスを必要としていた。
例えば、案内面に小さな錆が発生すると、摩擦形数が小さいという支持機構の特徴が損なわれるので、維持メンテナンスが重要である。
高い湿度や高い温度が続くと予想される場合、さらに頻繁な維持メンテナンスが必要となる。
【発明の開示】
【発明が解決しようとする課題】
【０００５】
本発明は以上に述べた問題点に鑑み案出されたもので、簡易な構造により適度な維持メンテナンスで健全性を維持できる基礎に配され建物を支持する複数の支持機構を提供しようとする。
【課題を解決するための手段】
【０００６】
上記目的を達成するため、本発明に係る基礎に基礎に配され建物を支持する複数の支持機構を有する建物基礎であって、基礎に支持される下部基礎構造と、建物を支持する上部基礎構造と、前記上部基礎構造と前記下部基礎構造との間に配される複数の支持機構と、前記下部基礎構造と前記上部基礎構造との間に複数の前記支持機構を内包する収納空間を形成するカバー部材と、前記収納空間の空気を換気する換気機器と、
を備えるものとした。
【０００７】
上記本発明の構成により、下部基礎構造が、基礎に支持される。上部基礎構造が、建物を支持する。複数の支持機構が、前記上部基礎構造と前記下部基礎構造との間に配される。カバー部材が、前記下部基礎構造と前記上部基礎構造との間に複数の前記支持機構を内包する収納空間を形成する。換気機器が、前記収納空間の空気を換気する。
その結果、前記支持機構の回りの雰囲気を一定にできる。
【０００８】
上記目的を達成するため、本発明に係る基礎に基礎に配され建物を支持する複数の支持機構を有する建物基礎であって、水平面内で直交する一対の軸をＸ軸とＹ軸と呼称するとき、基礎に支持される下部基礎構造と、建物を支持する上部基礎構造と、前記上部基礎構造に固定される上部フランジプレートと、前記下部基礎構造に固定される下部フランジプレートと、上部基礎構造に上部フランジプレートを介して固定され長手方向をＸ軸方向に延ばすリニアレールである上部リニアレールと、上部リニアレールに長手方向に移動自在に案内されるリニアブロックである上部リニアブロックと、下部基礎構造に下部フランジプレートを介して固定され長手方向をＹ軸方向に延ばすリニアレールである下部リニアレール１２ｂと、下部リニアレールに長手方向に移動自在に案内されるリニアブロックである下部リニアブロックと、上部リニアブロックと下部リニアブロックとを結合する部材である結合部材と、を有する転がり滑り支承と、前記下部基礎構造と前記上部基礎構造との間に前記転がり滑り支承を内包する収納空間を形成するカバー部材と、前記収納空間の気を換気する換気機器と、を備えるものとした。
【０００９】
上記本発明の構成により、水平面内で直交する一対の軸をＸ軸とＹ軸と呼称する。下部基礎構造が、基礎に支持される。上部基礎構造が、建物を支持する。転がり滑り支承が、上部フランジプレートと下部フランジプレートと上部リニアレールと上部リニアブロックと下部リニアレールと結合部材とを有する。上部フランジプレートは、前記上部基礎構造に固定される。下部フランジプレートは、前記下部基礎構造に固定される。上部リニアレールは、上部基礎構造に上部フランジプレートを介して固定され長手方向をＸ軸方向に延ばすリニアレールである。上部リニアブロックは、上部リニアレールに長手方向に移動自在に案内されるリニアブロックである。下部リニアレールは、下部基礎構造に下部フランジプレートを介して固定され長手方向をＹ軸方向に延ばすリニアレールである。下部リニアブロックは、下部リニアレールに長手方向に移動自在に案内されるリニアブロックである。結合部材は、上部リニアブロックと下部リニアブロックとを結合する部材である。カバー部材が、前記下部基礎構造と前記上部基礎構造との間に前記転がり滑り支承を内包する収納空間を形成する。換気機器が、前記収納空間の空気を換気する。
その結果、前記転がり滑り支承の回りの雰囲気を一定にできる。
【００１０】
以下に、本発明の実施形態に係る建物基礎を説明する。本発明は、以下に記載した実施形態のいずれか、またはそれらの中の二つ以上が組み合わされた態様を含む。
【００１１】
また、本発明の実施形態に係る建物基礎は、前記カバー部材が前記下部基礎構造と前記上部基礎構造との間に複数の前記転がり滑り支承を各々に内包する複数の収納空間を形成し、前記換気機器が複数の収納空間を連通する連通ダクトと該連通ダクトに通気して複数の前記収納空間の空気を換気する送風機とを有する。
上記本発明に係る実施形態の構成により、カバー部材が、前記下部基礎構造と前記上部基礎構造との間に複数の前記転がり滑り支承を各々に内包する複数の収納空間を形成する。連通ダクトが、複数の収納空間を連通する。前記換気機器の送風機が前記連通ダクトに通気して複数の前記収納空間の空気を換気する。
その結果、複数の前記収納空間に内包される複数の前記転がり滑り支承の回りの雰囲気を一定にできる。
【００１２】
上記目的を達成するため、本発明に係る基礎に基礎に配され建物を支持する複数の支持機構を有する建物基礎であって、水平面内で直交する一対の軸をＸ軸とＹ軸と呼称するとき、基礎に支持される下部基礎構造と、建物を支持する上部基礎構造と、上部基礎構造に上部フランジプレートを介して固定され長手方向をＸ軸方向に延ばすリニアレールである上部リニアレールと、上部リニアレールに長手方向に移動自在に案内されるリニアブロックである上部リニアブロックと、下部基礎構造に下部フランジプレートを介して固定され長手方向をＹ軸方向に延ばすリニアレールである下部リニアレールと、下部リニアレールに長手方向に移動自在に案内されるリニアブロックである下部リニアブロックと上部リニアブロックと下部リニアブロックとを結合するる部材である結合部材と、を有する転がり滑り支承と、前記リニアレールの前記リニアブロックを案内する案内面を内包する収納空間を形成し前記リニブロックの移動に伴って長手方向に伸縮できるカバー部材と、
前記収納空間の空気を換気する換気機器と、
を備えるものとした。
【００１３】
上記本発明の構成により、水平面内で直交する一対の軸をＸ軸とＹ軸と呼称するとき、下部基礎構造が、基礎に支持される。上部基礎構造が、建物を支持する。転がり滑り支承が、上部リニアレールと上部リニアブロックと下部リニアレールと下部リニアブロック結合部材とを有する。上部リニアレールは、上部基礎構造に上部フランジプレートを介して固定され長手方向をＸ軸方向に延ばすリニアレールである。上部リニアブロックは、上部リニアレールに長手方向に移動自在に案内されるリニアブロックである下部リニアレールは、下部基礎構造に下部フランジプレートを介して固定され長手方向をＹ軸方向に延ばすリニアレールである。下部リニアブロックは、下部リニアレールに長手方向に移動自在に案内されるリニアブロックである。結合部材は、上部リニアブロックと下部リニアブロックとに結合する部材である。カバー部材が、前記リニアレールの前記リニアブロックを案内する案内面を内包する収納空間を形成し前記リニブロックの移動に伴って長手方向に伸縮できる。換気機器が、前記収納空間の空気を換気する。
その結果、リニアレールの案内面の回りの雰囲気を一定にできる。
【００１４】
以下に、本発明の実施形態に係る建物基礎を説明する。本発明は、以下に記載した実施形態のいずれか、またはそれらの中の二つ以上が組み合わされた態様を含む。
【００１５】
また、本発明の実施形態に係る建物基礎は、前記カバー部材が複数の前記リニアレールの前記リニアブロックを案内する案内面を各々に内包する複数の収納空間を形成し前記リニブロックの移動に伴って長手方向に伸縮でき、
前記換気機器が複数の収納空間を連通する連通ダクトと該連通ダクトに通気して複数の前記収納空間の空気を換気する送風機とを有する、
上記本発明に係る実施形態の構成により、前記カバー部材が複数の前記リニアレールの前記リニアブロックを案内する案内面を各々に内包する複数の収納空間を形成し前記リニブロックの移動に伴って長手方向に伸縮できる。前記換気機器が複数の収納空間を連通する連通ダクトと該連通ダクトに通気して複数の前記収納空間の空気を換気する送風機とを有する。
その結果、複数のリニアレールの案内面の回りの雰囲気を一定にできる。
【００１６】
上記目的を達成するため、本発明に係る基礎に基礎に配され建物を支持する複数の支持機構を有する建物基礎であって、水平面内で直交する一対の軸をＸ軸とＹ軸と呼称するとき、基礎に支持される下部基礎構造と、建物を支持する上部基礎構造と、上部基礎構造に上部フランジプレートを介して固定され長手方向をＸ軸方向に延ばすリニアレールである上部リニアレールと、上部リニアレールに長手方向に移動自在に案内されるリニアブロックである上部リニアブロックと、下部基礎構造に下部フランジプレートを介して固定され長手方向をＹ軸方向に延ばすリニアレールである下部リニアレールと、下部リニアレールに長手方向に移動自在に案内されるリニアブロックである下部リニアブロックと上部リニアブロックと下部リニアブロックとに結合する部材である弾性部材と、を有する転がり滑り支承と、前記リニアレールの前記リニアブロックを案内する案内面を被覆する部材である被覆部材と、を備え、前記リニアブロックが前記リニアレールに案内されて移動すると前記被覆部材が前記リニアブロックに押されて案内面から剥がれる、ものとした。
【００１７】
上記本発明の構成により、水平面内で直交する一対の軸をＸ軸とＹ軸と呼称するとき、下部基礎構造が、基礎に支持される。上部基礎構造が、建物を支持する。転がり滑り支承が、上部リニアレールと上部リニアブロックと下部リニアレールと下部リニアブロックと結合部材と、を有する上部リニアレールは、上部基礎構造に上部フランジプレートを介して固定され長手方向をＸ軸方向に延ばすリニアレールである上部リニアブロックは、上部リニアレールに長手方向に移動自在に案内されるリニアブロックである。下部リニアレールは、下部基礎構造に下部フランジプレートを介して固定され長手方向をＹ軸方向に延ばすリニアレールである。下部リニアブロックは、下部リニアレールに長手方向に移動自在に案内されるリニアブロックである。結合部材は、上部リニアブロックと下部リニアブロックとに結合する部材である。
ゲル状部材は、前記リニアレールの前記リニアブロックを案内する案内面を被覆する部材である。前記リニアブロックが前記リニアレールに案内されて移動すると前記被覆部材が前記リニアブロックに押されて案内面から剥がれる。
その結果、リニアブロックがリニアレールの案内されて移動するまでの間はリニアレールの案内面の回りを外気から遮断して雰囲気を一定にできる。
【００１８】
以下に、本発明の実施形態に係る建物基礎を説明する。本発明は、以下に記載した実施形態のいずれか、またはそれらの中の二つ以上が組み合わされた態様を含む。
【００１９】
また、本発明の実施形態に係る建物基礎は、前記被覆部材が長手方向に延びる切れ目を入れられている。
上記本発明に係る実施形態の構成により、前記被覆部材が長手方向に延びる切れ目を入れられる。
その結果、前記被覆部材が長手方向に延びる切れ目を入れられる様にしたので、リニアブロックがリニアレールの案内されて移動すると被覆部材が切れ目を境に裂けて案内面が露出する。
【００２０】
また、本発明の実施形態に係る建物基礎は、前記リニアブロックの進行方向に向く端面に固定されるスクレーパと、を備え、前記リニアブロックが前記リニアレールに案内されて移動すると前記被覆部材が前記スクレーパにより案内面から剥離され前記リニアブロックに押されて案内面から剥がれる、
上記本発明に係る実施形態の構成により、スクレーパが、前記リニアブロックの進行方向に向く端面に固定される。前記リニアブロックが前記リニアレールに案内されて移動すると前記被覆部材が前記スクレーパにより案内面から剥離され前記リニアブロックに押されて案内面から剥がれる、
その結果、リニアブロックがリニアレールの案内されて移動すると案内面が露出する。
【発明の効果】
【００２１】
以上説明したように、本発明に係る建物基礎は、その構成により、以下の効果を有する。
前記下部基礎構造と前記上部基礎構造との間に形成される前記支持機構を内包する収納空間の空気を換気する様にしたので、前記支持機構の回りの雰囲気を一定にできる。
前記上部リアニブロックと前記下部リニアブロックとが結合され、上部リニアブロックを長手方向に移動自在に案内する上部リニアレールをＸ軸方向に延ばして固定される上部フランジプレートが建物を支持し、下部リニアブロックを長手方向に移動自在に案内する下部リニアレールをＹ軸方向に延ばして固定される上部フランジプレートが基礎に支持される転がり滑り支承において、前記下部基礎構造と前記上部基礎構造との間に形成される前記転がり滑り支承を内包する収納空間の空気を換気する様にしたので、前記転がり滑り支承の回りの雰囲気を一定にできる。
また前記下部基礎構造と前記上部基礎構造との間に形成される複数の前記転がり滑り支承を各々に内包する複数の収納空間を連通する通気ダクトに通気して複数の前記収納空間の空気を換気する様にしたので、複数の前記収納空間に内包される複数の前記転がり滑り支承の回りの雰囲気を一定にできる。
前記上部リアニブロックと前記下部リニアブロックとが結合され、上部リニアブロックを長手方向に移動自在に案内する上部リニアレールをＸ軸方向に延ばして固定される上部フランジプレートが建物を支持し、下部リニアブロックを長手方向に移動自在に案内する下部リニアレールをＹ軸方向に延ばして固定される上部フランジプレートが基礎に支持される転がり滑り支承において、リニアブロックの移動に伴って長手方向に伸縮できるカバー部材により形成されるリニアレールの案内面を内包する収納空間の空気を換気する様にしたので、リニアレールの案内面の回りの雰囲気を一定にできる。
また、リニアブロックの移動に伴って長手方向に伸縮できるカバー部材により形成される複数のリニアレールの案内面を各々に内包する複数の収納空間を連通する連通ダクトに通気しての空気を換気する様にしたので、複数のリニアレールの案内面の回りの雰囲気を一定にできる。
前記上部リニアブロックと前記下部リニアブロックとが結合され、上部リニアブロックを長手方向に移動自在に案内する上部リニアレールをＸ軸方向に延ばして固定される上部フランジプレートが建物を支持し、下部リニアブロックを長手方向に移動自在に案内する下部リニアレールをＹ軸方向に延ばして固定される上部フランジプレートが基礎に支持される転がり滑り支承において、被覆部材は、前記リニアレールの前記リニアブロックを案内する案内面に密着して被覆し、前記リニアブロックが前記リニアレールに案内されて移動すると前記被覆部材が前記リニアブロックに押されて案内面から剥がれる様にしたので、リニアブロックがリニアレールの案内されて移動するまでの間はリニアレールの案内面の回りを外気から遮断して雰囲気を一定にできる。
また、前記被覆部材が長手方向に延びる切れ目を入れられている様にしたので、リニアブロックがリニアレールの案内されて移動すると被覆部材が切れ目を境に裂けて案内面が露出する。
また、前記リニアブロックが前記リニアレールに案内されて移動すると前記被覆部材が前記スクレーパにより案内面から剥離され前記リニアブロックに押されて案内面から剥がれる様にしたので、リニアブロックがリニアレールの案内されて移動すると案内面が露出する。
その結果、簡易な構造により適度な維持メンテナンスで健全性を維持できる基礎に配され建物を支持する複数の支持機構を提供できる。
【図面の簡単な説明】
【００２２】
【図１】本発明の実施形態に係る建物基礎の概念図である。
【図２】本発明の第一の実施形態に係る建物基礎の概念図である。
【図３】本発明の第二の実施形態に係る建物基礎の概念図その１である。
【図４】本発明の第二の実施形態に係る建物基礎の概念図その２である。
【図５】本発明の第三の実施形態に係る建物基礎の概念図その１である。
【図６】本発明の第三の実施形態に係る建物基礎の概念図その２である。
【図７】本発明の第四の実施形態に係る建物基礎の概念図その１である。
【図８】本発明の第四の実施形態に係る建物基礎の概念図その２である。
【図９】本発明の実施形態にかかる建物基礎の管理システムの概念図である。
【発明を実施するための形態】
【００２３】
以下、本発明を実施するための最良の形態を、図面を参照して説明する。
【００２４】
本発明の実施形態に係る建物基礎は、基礎Ｂに配され建物を支持する複数の支持機構を有する
図１は、本発明の実施形態に係る建物基礎の概念図である。
図２は、本発明の第一の実施形態に係る建物基礎のＡ−Ａ矢視図である。
建物Ｏは、複数の柱（図示せず）と複数の梁（図示せず）とで構成されてももよい。
建物Ｏは、複数の柱（図示せず）と複数の梁（図示せず）と複数のスラブ床（図示せず）とで構成されてももよい。
柱の下部は、後述する上部基礎構造９ｔの上部に固定される。
例えば、柱の鉄筋は上部基礎構造９ｔの上部の鉄筋に繋がる。
基礎梁１０は、隣り合った柱を繋ぐ。
【００２５】
建物基礎Ｍは、基礎Ｂに配される。
建物基礎Ｍは、建物Ｏを支持する複数の支持機構１を有する。
建物基礎Ｍは、上部基礎構造９ｔと下部基礎構造９ｂと支持機構１とで構成される。
建物基礎Ｍは、上部基礎構造９ｔと下部基礎構造９ｂと複数の支持機構１とで構成されてもよい。
下部基礎構造９ｂは、基礎杭Ｔの頭頂に結合される。
基礎杭Ｔは、基礎Ｂに打ち込まれる。
【００２６】
支持機構１は、上部基礎構造９ｔと下部基礎構造９ｂとの間に配される機構である。
支持機構１は、下部基礎構造９ｂに固定され、建物を支持する。
または、支持機構１は、上部基礎構造９ｔと下部基礎構造９ｂとの相対的な水平変位に応じて減衰力を発生する。
支持機構１の形式には、積層ゴム支承１Ａと転がり滑り支承１Ｂと剛すべり支承１Ｃ等、がある。
図２には、積層ゴム支承１Ａと転がり滑り支承１Ｂと剛すべり支承１Ｃとダンパー１Ｄとが下部基礎構造９ｂと上部基礎構造９ｔとの間に、配される様子が示される。
【００２７】
積層ゴム支承１Ａは、上下一対の取付フランジの間に積層された複数のゴム板を挟んだ支承構造をもつ。
積層ゴム支承１Ａは、上下一対の取付フランジの間に交互に積層された複数のゴム板と複数の金属板とを挟んだ支承構造をもつ。
【００２８】
転がり滑り支承１Ｂは、上下一対の取付フランジを球軸受け等の転がり機構によりに水平方向に相対移動できる支承構造をもつ。
例えば、転がり滑り支承１Ｂは、リニアブロックとリニアレールとを用いた支持機構である。
リニアブロックは、内部に組み込まれた循環できる複数の球体をリニアレールの表面に形成されたＵ溝状の案内面に案内される様に転がして、小さい転がり抵抗を発生させてリニアレール１２の長手方向に移動できる構造をもつ。
【００２９】
剛すべり支承１Ｃは、上下一対の取付フランジを滑りにより水平方向に相対移動できる支承構造をもつ。
【００３０】
ダンパー１Ｄは、下部基礎構造９ｂと上部基礎構造９ｔとの水平方向の相対移動に対応して減衰力を発生させる構造をもつ。
【００３１】
最初に、本発明の第一の実施形態にかかる建物基礎を、図を基に説明する。
図２は、本発明の第一の実施形態に係る建物基礎の概念図である。
本発明の第一の実施形態にかかる建物基礎は、下部基礎構造９ｂと上部基礎構造９ｔと複数の支持機構１とカバー部材２と換気機器３とで構成される。
【００３２】
下部基礎構造９ｂは、基礎に支持される構造物である。
例えば、下部基礎構造９ｂは、基礎杭Ｔの頭頂に固定される。
【００３３】
上部基礎構造９ｔは、建物を支持する構造物である。
例えば、上部基礎構造９ｔは、建物の柱の下部が固定される。
【００３４】
複数の支持機構１が、上部基礎構造９ｔと下部基礎構造９ｂとの間に配される。
例えば、複数の支持機構１は、転がり滑り支承１Ｂを含んでいてもよい。
例えば、複数の支持機構１は、積層ゴム支承１Ａと転がり滑り支承１Ｂと剛すべり支承１Ｃとダンパー１Ｄとが下部基礎構造９ｂと上部基礎構造９ｔとを含んでいてもよい。
【００３５】
カバー部材２は、下部基礎構造９ｂと上部基礎構造９ｔとの間に複数の支持機構１を内包する収納空間Ｈを形成する部材である。
カバー部材２は、上部の縁を上部基礎構造９ｔに固定される。
カバー部材２は、下部の縁を下部基礎構造９ｂに固定される。
カバー部材２は、上部基礎構造９ｔと下部基礎構造９ｂとの水平方向の相対移動に伴って変形できる。
【００３６】
換気機器３は、収納空間Ｈの空気を換気する機器である。
換気機器３は、連通ダクト３ａと送風機３ｂとで構成される。
換気機器３は、連通ダクト３ａと送風機３ｂと送気ダクト３ｃで構成されてもよい。
連通ダクト３ａは、収納空間Ｈに連通する。
送風機３ｂは、連通ダクト３ａに通気して収納空間の空気を換気する。
送気ダクト３ｂは、外気を収納空間Ｈに送気するダクトである。送気ダクト３は、サイレンサーを備えていてもよい。
例えば、送風機は、連通ダクトの空気を外部へ排気して、収納空間Ｈの空気を換気する。
例えば、送風機３ｂは、外部の空気を連通ダクトへ送気して、収納空間Ｈの空気を換気する。
送風機３ｂは、収納空間Ｈの内部の環境の変化に応じて作動してもよい。
例えば、送風機３ｂは、収納空間Ｈの内部の湿度が予め設定された上限湿度を越えると連通ダクトへの通気を開始し、収納空間Ｈの内部の湿度が予め設定された下限湿度を下回ると連通ダクトへの通気を停止する。
送風機３ｂは、予め設定された時刻に応じて作動してもよい。
【００３７】
以下に、本発明の第二の実施形態にかかる建物基礎を、図を基に、詳述する。
図３は、本発明の第二の実施形態に係る建物基礎の概念図その１である。図４は、本発明の第二の実施形態に係る建物基礎の概念図その２である。
本発明の第二の実施形態にかかる建物基礎は、下部基礎構造９ｂと上部基礎構造９ｔと転がり滑り支承と１Ｂとカバー部材２と換気機器３とで構成される。
【００３８】
下部基礎構造９ｂは、基礎に支持される構造である。
下部基礎構造９ｂは、基礎杭Ｔの頭頂部に固定されてもよい。
【００３９】
上部基礎構造９ｔは、建物を支持する構造である。
上部基礎構造９ｔと下部基礎構造９ｂとの間に支持機器が配される。
【００４０】
支持機器１は、転がり滑り支承１Ｂを有する。
支持機器１は、複数の転がり滑り支承１Ｂを有していてもよい。
転がり滑り支承１Ｂは、リニアブロックとリニアレールとをもちいた支持機構である。
転がり滑り支承１Ｂは、上部フランジプレート１３ｔと下部フランジプレート１３ｂと上部リニアレール１２ｔと上部リニアブロック１１ｔと下部リニアレール１２ｂと下部リニアブロック１１ｂと結合部材１４とで構成される。
【００４１】
上部フランジプレート１３ｔは、上部基礎構造９ｔに固定されるフランジ構造をもった部材である。
上部フランジプレート１３ｔは、上部基礎構造９ｔの底部に固定されるフランジ構造をもっていてもよい。
例えば、上部フランジプレート１３ｔは、上部基礎構造９ｔの底部にボルト固定される。
【００４２】
下部フランジプレート１３ｂは、下部基礎構造９ｂに固定されるフランジ構造をもった部材である。
下部フランジプレート１３ｂは、下部基礎構造９ｂの上部に固定されるフランジ構造をもっていてもよい。
例えば、下部フランジプレート１３ｂは、下部基礎構造９ｂの上部にボルト固定される。
【００４３】
上部リニアレール１２ｔは、上部基礎構造９ｔに上部フランジプレート１３ｔを介して固定され長手方向をＸ軸方向に延ばすリニアレールである。
【００４４】
上部リニアブロック１１ｔは、上部リニアレール１２ｔに長手方向に移動自在に案内されるリニアブロックである。
【００４５】
下部リニアレール１２ｂは、下部基礎構造９ｂに下部フランジプレート１３ｂを介して固定され長手方向をＹ軸方向に延ばすリニアレールである。
【００４６】
下部リニアブロック１１ｂは、下部リニアレール１２ｂに長手方向に移動自在に案内されるリニアブロックである。
【００４７】
結合部材１４は、上部リニアブロック１１ｔと下部リニアブロック１１ｂとを結合する部材である
結合部材１４は、上部リニアブロック１１ｔと下部リニアブロック１１ｂとの間に挟まれ両者を結合してもよい。
結合部材１４は、上部リニアブロック１１ｔと下部リニアブロック１１ｂとの間に挟まれ両者を結合する弾性のあるものであってもよい。
結合部材１４は、上部リニアブロック１１ｔと下部リニアブロック１１ｂとの間に挟まれ両者を結合すゴム製のものであってもよい。
上から見て、上部リニアブロック１１ｔと下部リニアブロック１１ｂとがＺ軸回りに相対変位すると、ゴムシム１４が撓む。
【００４８】
カバー部材２は、下部基礎構造９ｂと上部基礎構造９ｔとの間に転がり滑り支承１Ｂを内包する収納空間Ｈを形成する。
例えば、一つのカバー部材２は、下部基礎構造９ｂと上部基礎構造９ｔとの間に一つの転がり滑り支承１Ｂを内包する一つの収納空間Ｈを形成する。
カバー部材２は、下部基礎構造９ｂと上部基礎構造９ｔとの間に複数の転がり滑り支承１Ｂを各々に内包する複数の収納空間Ｈを形成してもよい。
【００４９】
換気機器３は、収納空間の空気を換気する機器である。
換気機器３は、複数の収納空間の空気を換気する機器であってもよい。
換気機器３が連通ダクトと該連通ダクト３ａと送風機３ｂとで構成されてもよい。
換気機器３が連通ダクトと該連通ダクト３ａと送風機３ｂと送気ダクト３ｃで構成されてもよい。
連通ダクト３ａは、換気機器が複数の収納空間Ｈを連通する
連通ダクト３ａは、一筆書きで換気機器が複数の収納空間Ｈを連通してもよい。  
送風機３ｂは、連通ダクト３ａに通気して複数の収納空間Ｈの空気を換気する。
送気ダクト３ｃは、外気を収納空間Ｈに導くダクトである。
【００５０】
例えば、送風機３ｂは、連通ダクト３ａの空気を外部へ排気して、収納空間の空気を換気する。
例えば、送風機は、外部の空気を連通ダクト３ａへ送気して、収納空間Ｈの空気を換気する。
送風機３ｂは、収納空間Ｈの内部の環境の変化に応じて作動してもよい。
例えば、送風機３ｂは、複数の収納空間Ｈの内部の湿度が予め設定された上限湿度を越えると連通ダクトへの通気を開始し、複数の収納空間Ｈの内部の湿度が予め設定された下限湿度を下回ると連通ダクトへの通気を停止する。
【００５１】
次に、本発明の第三の実施形態に係る建物基礎を、図を基に、説明する。
図５は、本発明の第三の実施形態に係る建物基礎の概念図その１である。図６は、本発明の第三の実施形態に係る建物基礎の概念図その２である。
本発明の第三の実施形態にかかる建物基礎は、下部基礎構造９ｂと上部基礎構造９ｔと転がり滑り支承１Ｂとカバー部材と換気機器とで構成される。
下部基礎構造９ｂと上部基礎構造９ｔと転がり滑り支承１Ｂの構成は、第二の実施形態にかかる建物基礎のものと同じなので、説明を省略する。
【００５２】
カバー部材２は、リニアレールのリニアブロックを案内する案内面を内包する収納空間Ｈを形成しリニブロックの移動に伴って長手方向に伸縮できる部材である。
カバー部材２は、複数のリニアレールのリニアブロックを案内する案内面を各々に内包する複数の収納空間を形成しリニブロックの移動に伴って長手方向に伸縮できてもよい。
例えば、カバー部材２は、複数のリニアレールのリニアブロックを案内する案内面を各々に内包する複数の収納空間を形成しリニブロックの移動に伴って長手方向に伸縮できる蛇腹形状を持つ。
【００５３】
換気機器３は、収納空間Ｈの空気を換気する機器である。
換気機器３は、連通ダクト３ａと送風機３ｂとを有してもよい。
換気機器３は、連通ダクト３ａと送風機３ｂと送気ダクト３ｃとを有してもよい。
連通ダクト３ａは、複数の収納空間Ｈを連通する。
連通ダクト３ａは、複数の収納空間Ｈを連通してもよい。
送気ダクト３ｃは、外気を収納空間Ｈに導くダクトである。
例えば、連通ダクト３ａは、複数の収納空間を一筆書きで連通する。
送風機３ｂは、該連通ダクトに通気して収納空間Ｈの空気を換気する。
送風機３ｂは、該連通ダクトに通気して複数の収納空間Ｈの空気を換気してもよい。
【００５４】
例えば、送風機３ｂは、連通ダクト３ａの空気を外部へ排気して、収納空間の空気を換気する。
例えば、送風機は、外部の空気を連通ダクト３ａへ送気して、収納空間Ｈの空気を換気する。
送風機３ｂは、収納空間Ｈの内部の環境の変化に応じて作動してもよい。
例えば、送風機３ｂは、複数の収納空間Ｈの内部の湿度が予め設定された上限湿度を越えると連通ダクトへの通気を開始し、複数の収納空間Ｈの内部の湿度が予め設定された下限湿度を下回ると連通ダクトへの通気を停止する。
【００５５】
次に、本発明の第四の実施形態にかかる建物基礎を、図を基に、説明する。
図７は、本発明の第四の実施形態に係る建物基礎の概念図その１である。図８は、本発明の第四の実施形態に係る建物基礎の概念図その２である。
本発明の第四の実施形態にかかる建物基礎は、下部基礎構造９ｂと上部基礎構造９ｔと転がり滑り支承１Ｂと被覆部材とで構成される。
本発明の第四の実施形態にかかる建物基礎は、下部基礎構造９ｂと上部基礎構造９ｔと転がり滑り支承１Ｂと被覆部材とスクレーパとで構成されてもよい。
下部基礎構造９ｂと上部基礎構造９ｔと転がり滑り支承１Ｂの構成は、第二の実施形態にかかる建物基礎のものと同じなので、説明を省略する。
【００５６】
被覆部材４は、リニアレールのリニアブロックを案内する案内面に密着して被覆する部材である。
被覆部材４は、リニアレールのリニアブロックを案内する案内面に密着して被覆するゲル状の部材であってもよい。
被覆部材４は、リニアレールのリニアブロックを案内する案内面に密着して被覆する油分、防錆剤を含むゲル状の部材であってもよい。
リニアブロックがリニアレールに案内されて移動すると被覆部材４がリニアブロックに押されて案内面から剥がれる。
被覆部材４は、長手方向に延びる切れ目を入れられるてもよい。
被覆部材４は、内部に油分または防錆剤を溜める空洞をもつ部材であってもよい。
被覆部材４は、内部にグリースを溜める空洞をもつ部材であってもよい。
案内面は、リニアブロックに案内されて循環する球体が転がる溝の面であってもよい。
【００５７】
スクレーパ５は、リニアブロックの進行方向に向く端面に固定される。
リニアブロックがリニアレールに案内されて移動すると、被覆部材４がスクレーパ５により案内面から剥離され、リニアブロックに押されて案内面から剥がれる。
【００５８】
次に、本発明の実施形態にかかる建物基礎の管理方法を実行するための建物基礎の管理システムの概要を、図を基に説明する。
図９は、本発明の実施形態にかかる建物基礎の管理するための建物基礎の管理システムの概要を示す。
本発明の実施形態にかかる建物基礎の管理するための建物基礎の管理システムは、収納空間Ｈの環境を測定できるセンサシステム２２を持つ。
【００５９】
建物基礎の管理システムは、センサシステム２２とＷｉＦｉ機能付きマイコン２３とＭＱＴＴクライアント２４とルータ２５とクラウドサーバ２６と端末２７と周辺機器２８とで構成される。
建物基礎の管理システムは、複数のセンサシステム２２とＷｉＦｉ機能付きマイコン２３とＭＱＴＴクライアント２４とルータ２５とクラウドサーバ２６と端末２７と周辺機器２８とで構成される。
【００６０】
センサシステム２２は、収納空間Ｈの内部の環境を検知する。
センサシステム２２は、収納空間Ｈの内部の湿度を測定する。
センサシステム２２は、収納空間Ｈの内部の湿度、温度を測定してもよい。
センサシステム２２は、複数の収納空間Ｈの内部の湿度、温度を各々に測定してもよい。
【００６１】
ＷｉＦｉ機能付きマイコン２３は、支持機構１に対応して配され、センサシステム２２の測定した温度、湿度に対応するデータである温度湿度データを通信により送信する機器である。
ＷｉＦｉ機能付きマイコン３３は、支持機構１に対応して配され、センサシステム２２の測定した温度、湿度に対応するデータである温度湿度データを無線通信により送信すしてもよい。
ＷｉＦｉ機能付きマイコン２３は、支持機構１に対応して配され、センサシステム２２の測定した温度、湿度に対応するデータである温度湿度データをＷｉＦｉ通信により送信してもよい。
【００６２】
ＭＱＴＴクライアント２４は、ＷｉＦｉ機能付きマイコン２３から送信された複数の温度湿度データを受信する機器である。
【００６３】
ルータ２５は、ＭＱＴＴクライアント２４が受信した複数のセンサシステム２２の検知した環境データをクラウドサーバ２６とへ送信する機器である。
クラウドサーバ２６は、ルータ２５から受信した複数の支持機構１に対応する識別コードと基に、環境データを記録し、本発明の実施形態にかかる建物基礎Ｍを管理する。
【００６４】
端末２７は、クラウドサーバ２６と操作者とのコミュニケーションツールである。
【００６５】
周辺機器２８は、管理を実行するためのその他のデータ取得をする機器である。
例えば、周辺機器２８は、支持機器の様子がわかる映像を取得する換気システムやカメラシステムである。
【００６６】
以上説明したように、本発明の第一の実施形態に係る建物基礎は、その構成により、以下の効果を有する。
下部基礎構造９ｂと上部基礎構造９ｔとの間に形成される複数の支持機構１を内包する収納空間Ｈの空気を換気する様にしたので、支持機構１の回りの環境を一定にできる。
【００６７】
本発明の第二の実施形態に係る建物基礎は、その構成により、以下の効果を有する。
上部リアニブロック１１ｔと下部リニアブロック１１ｂとが結合され、上部リニアブロック１１ｔを長手方向に移動自在に案内する上部リニアレール１２ｔをＸ軸方向に延ばして固定される上部フランジプレート１３ｔが建物を支持し、下部リニアブロック１１ｂを長手方向に移動自在に案内する下部リニアレール１２ｂをＹ軸方向に延ばして固定される上部フランジプレート１３ｂが基礎に支持される転がり滑り支承において、下部基礎構造９ｂと上部基礎構造９ｔとの間に形成される転がり滑り支承１Ｂを内包する収納空間Ｈの空気を換気する様にしたので、転がり滑り支承１Ｂの回りの雰囲気を一定にできる。
また、送風機１ｂが下部基礎構造９ｂと上部基礎構造９ｔとの間に形成される複数の転がり滑り支承１Ｂを各々に内包する複数の収納空間Ｈを連通する通気ダクト３ａに通気して複数の収納空間Ｈの空気を換気する様にしたので、複数の収納空間Ｈに各々に内包される複数の転がり滑り支承１Ｂの回りの環境を一定にできる。
【００６８】
本発明の第三の実施形態に係る建物基礎は、その構成により、以下の効果を有する。
上部リアニブロック１１ｔと下部リニアブロック１１ｂとが結合され、上部リニアブロック１１ｔを長手方向に移動自在に案内する上部リニアレール１２ｔをＸ軸方向に延ばして固定される上部フランジプレート１３ｔが建物を支持し、下部リニアブロック１１ｂを長手方向に移動自在に案内する下部リニアレール１２ｂをＹ軸方向に延ばして固定される下部フランジプレート１３ｂが基礎に支持される転がり滑り支承１Ｂにおいて、リニアブロックの移動に伴って長手方向に伸縮できるカバー部材２により形成されるリニアレールの案内面を内包する収納空間Ｈの空気を換気する様にしたので、リニアレールの案内面の回りの雰囲気を一定にできる。
また、送風機３ｂがリニアブロックの移動に伴って長手方向に伸縮できるカバー部材２により形成される複数のリニアレールの案内面を各々に内包する複数の収納空間Ｈを連通する連通ダクト３ａに通気しての空気を換気する様にしたので、複数のリニアレールの案内面の回りの環境を一定にできる。
【００６９】
本発明の第四の実施形態に係る建物基礎は、その構成により、以下の効果を有する。
上部リアニブロック１１ｔと下部リニアブロック１１ｂとが結合され、上部リニアブロック１１ｔを長手方向に移動自在に案内する上部リニアレール１２ｔをＸ軸方向に延ばして固定される上部フランジプレート１３ｔが建物を支持し、下部リニアブロック１１ｂを長手方向に移動自在に案内する下部リニアレール１２ｂをＹ軸方向に延ばして固定される下部フランジプレート１３ｂが基礎に支持される転がり滑り支承１Ｂにおいて、被覆部材４は、リニアレールのリニアブロックを案内する案内面に密着して被覆し、リニアブロックがリニアレールに案内されて移動すると被覆部材４がリニアブロックに押されて案内面から剥がれる様にしたので、リニアブロックがリニアレールの案内されて移動するまでの間はリニアレールの案内面の回りを外気から遮断して雰囲気を一定にできる。
また、被覆部材が長手方向に延びる切れ目を入れられている様にしたので、リニアブロックがリニアレールの案内されて移動すると被覆部材４が切れ目を境に裂けて案内面が露出する。
また、リニアブロックがリニアレールに案内されて移動すると被覆部材４がスクレーパにより案内面から剥離されリニアブロックに押されて案内面から剥がれる様にしたので、リニアブロックがリニアレールの案内されて移動すると案内面が露出する。
【００７０】
本発明は以上に述べた実施形態に限られるものではなく、発明の要旨を逸脱しない範囲で各種の変更が可能である。
【符号の説明】
【００７１】
Ｍ  建物基礎
Ｂ  基礎
Ｏ  建物
Ｈ  収納空間
Ｔ  基礎杭
１  支持機構
１Ａ  積層ゴム支承
１Ｂ  転がり滑り支承
１Ｃ  剛すべり支承
１Ｄ  ダンパー
２  カバー部材
３  換気機器
３ａ  連通ダクト
３ｂ  送風機
４  被覆部材
５  スクレーパ
９ｔ  上部基礎構造
９ｂ  下部基礎構造
１０  基礎梁
１１ｔ  上部リニアブロック
１１ｂ  下部リニアブロック
１２ｔ  上部リニアレール
１２ｂ  下部リニアレール
１３ｔ  上部フランジプレート
１３ｂ  下部フランジプレート
１４  結合部材
２２  センサシステム
２３  ＷｉＦｉ機能付きマイコン
２４  ＭＱＴＴクライアント
２５  ルータ
２６  クラウドサーバ
２７  端末
２８  周辺機器
【先行技術文献】
【特許文献】
【００７２】
【特許文献１】特開平５−９９６４８
【特許文献２】特開２０１６−１６１４１６
【特許文献３】特開２０１７−７２２３８
【図１】
2019206862.tif 000003
【図２】
2019206862.tif 000004
【図３】
2019206862.tif 000005
【図４】
2019206862.tif 000006
【図５】
2019206862.tif 000007
【図６】
2019206862.tif 000008
【図７】
2019206862.tif 000009
【図８】
2019206862.tif 000010
【図９】
2019206862.tif 000011